(57)【要約】【課題】  電線への装着が容易で、しかも防水機能及び音漏れ防止機能が低下することのないコネクタへのグロメットの取付構造を提供する。【解決手段】  本発明のコネクタ１へのグロメット３の取付構造は、グロメット３が電線が挿通される挿通孔４と、一側が挿通孔４に開口し該挿通孔４内に電線が挿入されるスリット５と、このスリット５の他側が開口すると共にコネクタ１の内方側に当接するコネクタ側当接面６と、このコネクタ側当接面６の反対側に設けられた押え壁側当接面７とを有し、コネクタ１の電線挿通部２がグロメット３のコネクタ側当接面６に当接する支持面８と、この支持面８に対向して設けられグロメット３の押え壁側当接面７に当接するグロメット押え壁９とからなり、グロメット押え壁９の曲率Ｒ１が、グロメット３の押え壁側当接面７の曲率Ｒ２より小さく設定されている。【選択図】      図２
2006094603.tif 000002
【特許請求の範囲】
【請求項１】
コネクタの電線挿通部にグロメットを取り付けるコネクタへのグロメットの取付構造であって、
前記グロメットが前記電線が挿通される挿通孔と、一側が挿通孔に開口し該挿通孔内に電線が挿入されるスリットと、このスリットの他側が開口すると共にコネクタの内方側に当接するコネクタ側当接面と、このコネクタ側当接面の反対側に設けられた押え壁側当接面とを有し、
前記コネクタの電線挿通部が前記グロメットのコネクタ側当接面に当接する支持面と、この支持面に対向して設けられ前記グロメットの押え壁側当接面に当接するグロメット押え壁とからなり、
前記グロメット押え壁の曲率が、前記グロメットの押え壁側当接面の曲率より小さく設定されていることを特徴とするコネクタへのグロメットの取付構造。
【請求項２】
請求項１記載のコネクタへのグロメットの取付構造であって、
前記電線挿通部が前記グロメットが嵌合する切欠部と、この切欠部に組み付けられて嵌合しているグロメットを押さえるグロメット押え部材とで形成され、
前記支持面が前記切欠部の内壁に設けられ、前記グロメット押え壁が前記グロメット押え部材に設けられていることを特徴とするコネクタへのグロメットの取付構造。
【請求項３】
請求項１又は請求項２記載のコネクタへのグロメットの取付構造であって、
前記グロメット押え壁には、前記グロメットの押え壁側当接面に設けられた位置決め溝に挿入される位置決めリブが設けられていることを特徴とするコネクタへのグロメットの取付構造。
【請求項４】
請求項１乃至請求項３のいずれか一項に記載のコネクタへのグロメットの取付構造であって、
前記挿通孔が複数箇所設けられ、前記スリットは一側が各挿通孔にそれぞれ開口して複数箇所設けられていることを特徴とするコネクタへのグロメットの取付構造。
【発明の詳細な説明】
【技術分野】
【０００１】
本発明は、電線が挿通されるグロメットをコネクタの電線挿通部に取り付けるコネクタへのグロメットの取付構造に関する。
【背景技術】
【０００２】
パネルやコネクタの電線挿通部を貫通する複数本の電線を保持して、パネルやコネクタにシール状態で支持するのに合成ゴム等で成型されたグロメットが用いられている。このグロメットは、予め複数本の電線を挿通させた状態で、電線の軸方向に移動させ、パネルに設けられた取付孔や、コネクタの電線挿通部に装着される。
【０００３】
ところが、グロメットに複数本の電線を挿通させる際に、電線の端末部分からグロメット内に電線を挿通させて、所望の位置までグロメットを電線の軸方向に移動させている。電線が短い場合には所望の位置まで容易に移動できるが、電線が長くなると、この作業は面倒なものとなる。
【０００４】
そこで、グロメットを分割し、所望の位置で分割したグロメットを一体に係合させることにより、グロメットへの電線の挿通作業を容易にすることができる例が、特許文献１に記載されている。このグロメットによれば、電線の端末部分から電線をグロメットに挿通し、所望の位置まで電線の軸方向に沿って移動させる必要がなくなり、電線の所望の位置に容易にグロメットを位置させることができる。
【特許文献１】特開平９−１１５３７０号
【発明の開示】
【発明が解決しようとする課題】
【０００５】
ところが、上記グロメットをパネルの取付孔やコネクタの電線挿通部に取り付ける際に、取付孔や電線挿通部の内壁にグロメットの外周部分が均等に当接しない状態では、グロメットに局部的な応力が加わることになるので、分割した合わせ面に隙間が生じてしまうという問題が生じる。
【０００６】
従って、グロメットを分割することによって電線へのグロメットの装着は容易になるが、分割したグロメット同士の合わせ面に隙間が生じてしまい、本来の防水機能及び音漏れ防止機能が低下してしてしまう。
【０００７】
そこで、本発明は、電線への装着が容易で、しかも防水機能及び音漏れ防止機能が低下することのないコネクタへのグロメットの取付構造の提供を目的とする。
【課題を解決するための手段】
【０００８】
請求項１の発明は、コネクタの電線挿通部にグロメットを取り付けるコネクタへのグロメットの取付構造であって、前記グロメットが前記電線が挿通される挿通孔と、一側が挿通孔に開口し該挿通孔内に電線が挿入されるスリットと、このスリットの他側が開口すると共にコネクタの内方側に当接するコネクタ側当接面と、このコネクタ側当接面の反対側に設けられた押え壁側当接面とを有し、前記コネクタの電線挿通部が前記グロメットのコネクタ側当接面に当接する支持面と、この支持面に対向して設けられ前記グロメットの押え壁側当接面に当接するグロメット押え壁とからなり、前記グロメット押え壁の曲率が、前記グロメットの押え壁側当接面より小さく設定されていることを特徴とする。
【０００９】
このコネクタへのグロメットの取付構造では、電線の所望の位置で、スリット内に電線を通過させて挿通孔内に電線を挿入する。この状態でコネクタの電線挿通部にグロメットを取り付けると、グロメットのコネクタ側当接面がコネクタの支持面に当接し、グロメットの押え壁側当接面がコネクタのグロメット押え壁に当接する。この状態では、コネクタのグロメット押え壁の曲率が、グロメットの押え壁側当接面より小さく設定されているのでグロメットには、グロメット押え壁側から圧縮される方向に応力を受ける。この応力によりスリットの開口が密着し、スリットに隙間がなくなる。
【００１０】
請求項２の発明は、請求項１記載のコネクタへのグロメットの取付構造であって、前記電線挿通部が前記グロメットが嵌合する切欠部と、この切欠部に組み付けられて嵌合しているグロメットを押さえるグロメット押え部材とで形成され、前記支持面が前記切欠部の内壁に設けられ、前記グロメット押え壁が前記グロメット押え部材に設けられていることを特徴とする。
【００１１】
このコネクタへのグロメットの取付構造では、電線の所望の位置で、スリット内に電線を通過させて挿通孔内に電線を挿入する。この状態でコネクタの切欠部にグロメットを位置させた状態で、グロメット押え部材をコネクタに組み付け、グロメットを切欠部とグロメット押え部材とで電線挿通部に組み付ける。
【００１２】
この状態では、グロメット押え部材のグロメット押え壁の曲率が、グロメットの押え壁側当接面より小さく設定されているのでグロメットには、グロメット部材の押え壁側から圧縮される方向に応力を受ける。この応力によりスリットが密着し、隙間がなくなる
請求項３の発明は、請求項１又は請求項２記載のコネクタへのグロメットの取付構造であって、前記グロメット押え壁には、前記グロメットの押え壁側当接面に設けられた位置決め溝に挿入される位置決めリブが設けられていることを特徴とする。
【００１３】
このコネクタへのグロメットの取付構造では、電線が挿通された状態のグロメットをコネクタの切欠部に位置させた状態で、グロメット押え部材をコネクタに組み付けると、グロメット押え部材のグロメット押え壁の位置決めリブが、グロメットの押え壁側当接面の位置決め溝に挿入されて、コネクタへのグロメットの位置決めがなされる。
【発明の効果】
【００１４】
請求項１の発明によれば、グロメットの押え壁側当接面がコネクタのグロメット押え壁に当接した状態では、コネクタのグロメット押え壁の曲率が、グロメットの押え壁側当接面より小さく設定されているのでグロメットには、グロメット押え壁側から圧縮される方向に応力を受け、この応力によりスリットが密着し、隙間がなくなる。従って、電線への装着が容易で、しかも防水機能及び音漏れ防止機能が低下することがない。
【００１５】
請求項２の発明によれば、電線の所望の位置で、スリット内に電線を通過させて挿通孔内に電線を挿入し、この状態でコネクタの切欠部にグロメットを位置させてグロメット押え部材をコネクタに組み付け、グロメットを切欠部とグロメット押え部材とで電線挿通部に組み付けるので、グロメットの押え壁側当接面に均等な応力を付与することができ、スリットの内壁間を確実に密着し、防水機能及び音漏れ防止機能を得ることができる。
【００１６】
請求項３の発明によれば、電線が挿通された状態のグロメットをコネクタの切欠部に位置させた状態で、グロメット押え部材をコネクタに組み付けると、グロメット押え部材のグロメット押え壁の位置決めリブが、グロメットの押え壁側当接面の位置決め溝に挿入されて、コネクタへのグロメットの位置決めがなされ、コネクタの所定の位置にグロメットを確実に位置決めた状態で、しかも防水機能及び音漏れ防止機能を低下させることなく組み付けることができる。
【発明を実施するための最良の形態】
【００１７】
以下、本発明の実施形態を図面に基づいて説明する。図１は、コネクタ１と、このコネクタ１の電線挿通部２に取り付けられるグロメット３とを示す分解斜視図、図２は、コネクタ１とグロメット３とを示す分解正面図、図３は、コネクタ１にグロメットを取り付けた状態を示す正面図である。
【００１８】
本実施形態におけるコネクタ１の電線挿通部２にグロメット３を取り付けるコネクタ１へのグロメット３の取付構造は、グロメット３が、電線が挿通される挿通孔４、４と、一側が挿通孔４、４に開口し挿通孔４、４内に電線が挿入されるスリット５、５と、このスリット５、５の他側が開口すると共にコネクタ１の内方側に当接するコネクタ側当接面６と、このコネクタ側当接面６の反対側に設けられた押え壁側当接面と７を有している。また、コネクタ１の電線挿通部２がグロメット３のコネクタ側当接面６に当接する中央支持面８と、この中央支持面８に対向して設けられグロメット３の押え壁側当接面７に当接するグロメット押え壁９とからなり、グロメット押え壁９の曲率Ｒ１が、グロメット３の押え壁側当接面７の曲率Ｒ２より小さく設定されている。
【００１９】
図１及び図２に示すように、コネクタ１は略円筒状のコネクタ本体１０の軸方向の中間部に環状のフランジ部１１が形成されている。コネクタ本体１０の中心部には、相手コネクタとの嵌合用の回動レバーが挿入されるレバー挿入孔１２が設けられている。このレバー挿入孔１２の周囲には、電線端末の端子がそれぞれ収容される複数個の端子収容室１３が形成されている。また、コネクタ本体１０には、一部が切り欠かれた電線挿通部２が形成されている。この電線挿通部２には、フランジ部１１が略台形状に切り欠かれた切欠部１５と、この切欠部１５に装着されたグロメット３を押さえるグロメット押え部材１６とで形成されている。
【００２０】
切欠部１５は、レバー挿入孔１２の下部側に設けられた平面状の中央支持面８と、この中央支持面８の両側に設けられた側支持面１７、１７とで形成されている。中央支持面８には、グロメット３のコネクタ側当接面６が当接する。
【００２１】
グロメット３は、略台形状断面の本体１８に、２つの挿通孔４、４が長手方向に沿って形成されている。この挿通孔４、４に一側がそれぞれ開口し、コネクタ側当接面６に他側が開口する２つのスリット５、５が設けられている。これらのスリット５、５は、図４に示すように、長手方向の中間部に折れ曲がり部２１、２１が設けられている。そして、これらのスリット５、５から複数本の電線が挿通孔４、４内に挿入されることで、グロメット３を電線の所望の位置に組み付けることができる。また、グロメット３を切欠部１５に装着した状態でグロメット押え部材１６のグロメット押え壁９と当接する押え壁側当接面７には、矩形断面の位置決め溝２４が長手方向に沿って設けられている。
【００２２】
グロメット押え部材１６は、グロメット３の押え壁側当接面７に当接するグロメット押え壁９と、押え部材側フランジ２６とで形成されている。グロメット押え壁９には、グロメット３が挿入される挿入位置を決める一対のリブ２７、２７、２８、２８、２９、２９が３組設けられている。一対のリブ２８、２８間には、リブ２８、２８を繋ぐ長尺の位置決めリブ３０が設けられている。この位置決めリブ３０は、グロメット３の位置決め溝２４が挿入される。押え部材側フランジ２６の両側面には、フランジ部１１の両内面１１ａ，１１ａに係止する係合部２５（図２参照）が設けられている。
【００２３】
そして、スリット５、５から複数の電線を挿通孔４、４内に挿入した状態で、グロメット３を切欠部１５に挿入し、中央支持面８にコネクタ側当接面６を当接させ、グロメット押え部材１６をフランジ部１１に組み付ける。この状態では、押え壁側当接面７にグロメット押え壁９が当接する。
【００２４】
また、グロメット押え壁９が押え壁側当接面７に当接した状態では、グロメット３には、グロメット押え壁９から、内側に向けて応力が加わり、スリット５、５の開口がそれぞれ密着する。
【００２５】
すなわち、コネクタ１のグロメット押え壁９の曲率Ｒ１が、グロメットの押え壁側当接面７の曲率Ｒ２より小さく設定されているのでグロメット３には、グロメット押え壁９側から両側から圧縮される方向に応力を受ける。この応力によりスリット５、５の開口が密着し、隙間がなくなる。
【００２６】
また、電線の所望の位置で、スリット５、５内に電線を通過させて挿通孔４、４内に電線を挿入し、この状態でコネクタ１の電線挿通部２にグロメット３を位置させてグロメット押え部材１６をコネクタ１に組み付け、グロメット３を切欠部１５とグロメット押え部材１６とで電線挿通部２に組み付けるので、グロメット３の押え壁側当接面７に均等な応力を付与することができ、スリット５、５の内壁間を確実に密着し、防水機能及び音漏れ防止機能を得ることができる。
【００２７】
さらに、電線が挿通された状態のグロメット３をコネクタ１の切欠部１５に位置させた状態で、グロメット押え部材１６をコネクタ１に組み付けると、グロメット押え部材１６のグロメット押え壁９の位置決めリブ３０が、グロメット３の押え壁側当接面７の位置決め溝２４に挿入されて、コネクタ１へのグロメット３の位置決めがなされ、コネクタ１の所定の位置にグロメット３を確実に位置決めした状態で、しかも防水機能及び音漏れ防止機能を低下させることなく、グロメット３を電線に組み付けることができる。
【図面の簡単な説明】
【００２８】
【図１】コネクタとグロメットとを示す分解斜視図である。
【図２】コネクタとグロメットとを示す分解正面図である。
【図３】コネクタにグロメットを組み付けた状態を示す正面図である。
【図４】グロメットと、このグロメットをコネクタに押さえるグロメット押え部材を示す分解斜視図である。
【符号の説明】
【００２９】
１  コネクタ
２  電線挿通部
３  グロメット
４  挿通孔
５  スリット
６  コネクタ側当接面
７  押え壁側当接面
８  中央支持面
９  グロメット押え壁
【図１】
2006094603.tif 000003
【図２】
2006094603.tif 000004
【図３】
2006094603.tif 000005
【図４】
2006094603.tif 000006